(57)【要約】    【課題】  ロール状に巻回された記録媒体やインクリボンなどの帯状体の交換が、円滑、かつ、簡単に行えると共に、大径の帯状体であっても、円滑な回転を可能とした巻回リールおよび巻回リールの支持機構を提供する。【解決手段】  巻回リール１は、複数の傾斜した溝４ａを有してすり鉢状に形成されるとともに、第１の係合凸部に係合する第１の係合凹部４、および第２の係合凸部に係合する第２の係合凹部５を両端部に有するとともに、帯状体が巻回される回転コア２を備え、装着時、第１の係合凸部のリブと第１の係合凹部４の溝４ａとが嵌合するとともに、第２の係合凸部と第２の係合凹部５とが係合する。【選択図】  図１
2014210388.tif 000002
【特許請求の範囲】
【請求項１】
回動駆動源により回動可能に設けられるとともに、第１の支持部材から突出して設けられた円錐台状の斜面に複数のリブが形成された第１の係合凸部と、
前記第１の支持部材から所望距離はなれて設けられた第２の支持部材から突出し、前記第１の係合凸部と対峙して設けられた円錐台状の第２の係合凸部と、が設けられたプリンタに対し、着脱自在に設けられた巻回リールであって、
前記巻回リールは、
複数の傾斜した溝を有してすり鉢状に形成されるとともに、前記第１の係合凸部に係合する第１の係合凹部、および前記第２の係合凸部に係合する第２の係合凹部を両端部に有し、帯状体が巻回される回転コアを備え、
装着時、前記第１の係合凸部のリブと前記第１の係合凹部の溝とが嵌合するとともに、前記第２の係合凸部と前記第２の係合凹部とが係合するよう構成されたことを特徴とする巻回リール。
【請求項２】
さらに、前記巻回リールには、前記回転コアの少なくとも一端部に、巻回される前記帯状体の側面を規制するフランジを設けたことを特徴とする請求項１記載の巻回リール。
【請求項３】
帯状体が巻回される巻回リールを着脱自在に支持する支持部材を有し、前記支持部材に装着した前記帯状体の巻き取りまたは繰り出しを行う巻回リールの支持機構であって、
前記支持部材は、
円錐台状の斜面に複数のリブが形成されるとともに、回動駆動源により回動可能に設けられた第１の係合凸部を突出して備えた第１の支持部材と、
この第１の支持部材から所望距離はなれて設けられるとともに、前記第１の係合凸部と対峙して円錐台状の第２の係合凸部が設けられ、かつ、この第２の係合凸部を前記第１の係合凸部側へ付勢する付勢手段を備えた第２の支持部材と、により構成され、また
前記巻回リールは、
複数の傾斜した溝を有してすり鉢状に形成されるとともに、前記第１の係合凸部に係合する第１の係合凹部、および前記第２の係合凸部に係合する第２の係合凹部を両端部に有し、帯状体が巻回される回転コアを備え、
装着時、円錐台状の前記第１および第２の係合凸部の斜面に沿い前記回転コアの両端部を第１および第２の支持部材の間に押し入れ、前記付勢手段の付勢力に抗して第２の係合凸部を退動させ、前記第１の係合凸部と第１の係合凹部とを嵌合させるとともに、前記第２の係合凸部と第２の係合凹部を係合させて前記巻回リールを装着することを特徴とする巻回リールの支持機構。
【請求項４】
前記回転コアの両端部には、前記第１および第２の係合凸部の斜面と当接する案内フランジ部が形成されることを特徴とする請求項３に記載の巻回リールの支持機構。
【発明の詳細な説明】
【技術分野】
【０００１】
本発明は、特に、熱転写プリンタ等のプリンタに用いられる、ロール状に巻回されたインクリボンやラベル等の記録媒体などの帯状体の交換が、円滑、かつ、簡単に行えると共に、大径の帯状体であっても、円滑な回転を可能とした巻回リールおよび巻回リールの支持機構に関する。
【背景技術】
【０００２】
従来、転写フィルムを使ってラベル連続体等の記録媒体に印字を施す熱転写プリンタが知られており、一対の紙管ホルダにて「巻取リール」としての紙管を支持するとともに、紙管ホルダを駆動して紙管にて転写フィルム（インクリボン）を巻取るようにしている（例えば、特許文献１参照）。
【０００３】
先ず、図８に基づき熱転写プリンタの一例を示すと、熱転写プリンタ（プリンタ）５１は、記録媒体供給部５２と、印字部５３と、リボン供給部５４と、リボン巻取り部５５とを備えている。
記録媒体供給部５２は、ロール状としたラベル連続体などの記録媒体５６を回転可能に支持する供給軸５７が設けられている。
印字部５３は、プラテンローラ５８とサーマルヘッド５９とを備え、プラテンローラ５８は図示省略の駆動源により回転駆動するように設けられている。
前記リボン供給部５４、およびリボン巻取り部５５は、印字部５３の上方に設けられ、転写フィルム（インクリボン）６０を保持している。
そして、リボン供給部５４から繰り出されたインクリボン６０は、ガイドローラ６１を経て印字部５３に移送される。印字部５３では、ガイドローラ６２を経て記録媒体供給部５２から移送されてくる記録媒体５６の表面にインクリボン６０が重ね合わされるようにして、サーマルヘッド５９の図示省略の発熱体の発熱によりインクリボン６０のインクを記録媒体５６に転写して所望の印字が施されるようになっている。
印字された記録媒体５６は、発行口６４より前方に繰り出されるとともに、転写済のインクリボン６０は、ガイドローラ６３を経て上方に移送されリボン巻取り部５５にて巻き取られるようにしてある。
【０００４】
特許文献１の紙管保持装置は、上記のような熱転写プリンタ（プリンタ）５１に設けられるものであり、紙管の左右を紙管ホルダによって回転自在に支持するとともに、一方の紙管ホルダをモータで駆動し、紙管に装着した転写フィルム（インクリボン）等を巻き取るようにした装置であって、紙管（巻回リール）の一方側には切欠部を設け、かつ、前記紙管ホルダに隣接し、軸方向に弾性的に支持するとともに、前記切欠部分に着脱自在とされる爪が形成された爪プレートを設けている。
そして、モータの駆動により爪プレートを円周方向にスライドさせることにより、爪を紙管の切欠部に嵌入するようにしている（同文献の「特許請求の範囲」）。
【０００５】
ところで、熱転写プリンタ５１では、印字・発行により消費する記録媒体５６のほかインクリボン６０の交換が発生するが、作業の効率化を図る利用者からは交換回数を極力少なくすると共に、交換作業が円滑かつ容易にできるようにして欲しいとの要望があり、交換回数の減少に応えるため必然的に記録媒体５６やインクリボン６０を大型化する傾向にある。
【０００６】
しかしながら、記録媒体５６やインクリボン６０を大型化すると、ロール状に巻回した記録媒体５６やインクリボン６０はロール径が大きくなるとともに重くなり、重くなった分、繰り出しや巻取りに今まで以上の回転力が必要となり、従前の紙管保持装置では耐えられないという問題があった。
すなわち、紙管の切欠部に爪を嵌入し、記録媒体５６やインクリボン６０が巻回された紙管をモータにより繰り出すものであり、回転により切欠部に爪の回転力が伝わると、重たくなったゆえに切欠部が損傷する恐れがあるという問題があった。
繰り出された記録媒体５６やインクリボン６０を巻き取る場合も同様であり、巻き取ったロール径が大きくなってくると、重たくなり切欠部が損傷し易いものである。
【０００７】
また、記録媒体５６またはインクリボン６０を利用者が交換する際、大径で重くなった記録媒体５６またはインクリボン６０を一方の手で支えて爪プレートを軸方向で外側に押し込むと共に、他方の手で（スイッチなどを操作して）モータを駆動させることにより爪プレートを円周方向にスライドさせて紙管の切欠部が形成された適正位置に爪を嵌入するので、片手で重たい記録媒体５６またはインクリボン６０を装着する必要があり、かつ、爪プレートの押し込みとモータを回して紙管の切欠部へ爪を嵌入するための２動作を行う必要があったので、装着が大変という問題があった。
【先行技術文献】
【特許文献】
【０００８】
【特許文献１】特開平２−６２３５２号公報
【発明の概要】
【発明が解決しようとする課題】
【０００９】
本発明は以上のような問題に着目してなされたもので、ロール状に巻回された記録媒体やインクリボンなどの帯状体の交換が、円滑、かつ、簡単に行えると共に、大径の帯状体であっても、円滑な回転を可能とした巻回リールおよび巻回リールの支持機構を提供することを課題とする。
【課題を解決するための手段】
【００１０】
本発明に係る巻回リールは、回動駆動源により回動可能に設けられるとともに、第１の支持部材から突出して設けられた円錐台状の斜面に複数のリブが形成された第１の係合凸部と、前記第１の支持部材から所望距離はなれて設けられた第２の支持部材から突出し、前記第１の係合凸部と対峙して設けられた円錐台状の第２の係合凸部と、が設けられたプリンタに対し、着脱自在に設けられた巻回リールであって、前記巻回リールは、複数の傾斜した溝を有してすり鉢状に形成されるとともに、前記第１の係合凸部に係合する第１の係合凹部、および前記第２の係合凸部に係合する第２の係合凹部を両端部に有し、帯状体が巻回される回転コアを備え、装着時、前記第１の係合凸部のリブと前記第１の係合凹部の溝とが嵌合するとともに、前記第２の係合凸部と前記第２の係合凹部とが係合するよう構成されたことを特徴とする。
さらに、巻回リールには、回転コアの少なくとも一端部に、巻回される帯状体の側面を規制するフランジを設けるようにできる。
【００１１】
また、第２の発明に係る巻回リールの支持機構は、帯状体が巻回される巻回リールを着脱自在に支持する支持部材を有し、前記支持部材に装着した前記帯状体の巻き取りまたは繰り出しを行う巻回リールの支持機構であって、前記支持部材は、円錐台状の斜面に複数のリブが形成されるとともに、回動駆動源により回動可能に設けられた第１の係合凸部を突出して備えた第１の支持部材と、この第１の支持部材から所望距離はなれて設けられるとともに、前記第１の係合凸部と対峙して円錐台状の第２の係合凸部が設けられ、かつ、この第２の係合凸部を前記第１の係合凸部側へ付勢する付勢手段を備えた第２の支持部材と、により構成され、また前記巻回リールは、複数の傾斜した溝を有してすり鉢状に形成されるとともに、前記第１の係合凸部に係合する第１の係合凹部、および前記第２の係合凸部に係合する第２の係合凹部を両端部に有し、帯状体が巻回される回転コアを備え、装着時、円錐台状の前記第１および第２の係合凸部の斜面に沿い前記回転コアの両端部を第１および第２の支持部材の間に押し入れ、前記付勢手段の付勢力に抗して第２の係合凸部を退動させ、前記第１の係合凸部と第１の係合凹部とを嵌合させるとともに、前記第２の係合凸部と第２の係合凹部を係合させて前記巻回リールを装着することを特徴とする。
【００１２】
また、回転コアの両端部には、第１および第２の係合凸部の斜面と当接する案内フランジ部が形成されるようにできる。
【発明の効果】
【００１３】
本発明の巻回リールは、複数の傾斜した溝を有してすり鉢状に形成されるとともに、回動駆動源により回動可能に設けられた第１の係合凸部に係合する第１の係合凹部、および第２の係合凸部に係合する第２の係合凹部を両端部に有するとともに、帯状体が巻回される回転コアを備え、装着時、プリンタ側の第１の係合凸部のリブと回転コアの第１の係合凹部の溝とが嵌合するとともに、プリンタ側の第２の係合凸部と回転コアの第２の係合凹部とが係合するよう構成されたので、巻回リールを押し入れる際、円錐台状の第１および第２の係合凸部の斜面に回転コアの両端部が当接し、斜面に沿って巻回リールが滑りながら押し入れられるため、装着が容易であり、かつ、リブを有する第１の係合凸部と溝を有する第１の係合凹部とが嵌合するため、回転が無駄なく伝達されて回転力の向上が図れるとともに、回転の同期が取れ空回りしないという効果がある。
さらに、巻回リールの回転コアの少なくとも一端部に、巻回される帯状体の側面を規制するフランジを設けるようにすれば、着脱時、帯状体がずれるのを防止できる。
【００１４】
また、第２の発明に係る巻回リールの支持機構は、回動駆動源により回動可能に設けられた第１の係合凸部を突出して備えた第１の支持部材と、第１の係合凸部と対峙して円錐台状の第２の係合凸部が設けられ、かつ、この第２の係合凸部を第１の係合凸部側へ付勢する付勢手段を備えた第２の支持部材と、により構成された支持部材と、複数の傾斜した溝を有してすり鉢状に形成されるとともに、第１の係合凸部に係合する第１の係合凹部、および第２の係合凸部に係合する第２の係合凹部を両端部に有し、帯状体が巻回される回転コアを備えた巻回リールにより構成され、装着時、円錐台状の第１および第２の係合凸部の斜面に沿い回転コアの両端部を第１および第２の支持部材の間に押し入れ、付勢手段の付勢力に抗して第２の係合凸部を退動させ、第１の係合凸部と第１の係合凹部とを嵌合させるとともに、第２の係合凸部と第２の係合凹部を係合させて巻回リールを装着するようにしたので、第１の係合凸部と第２の係合凸部の間に巻回リールを押し入れる際、円錐台状の第１および第２の係合凸部の斜面に回転コアの両端部が当接し、斜面を滑りながら押し入れられるとともに、第２の係合凸部が付勢手段の付勢力に抗して後退し、第１および第２の係合凸部の間が押し広げられる状態になるため、巻回リールの装着が容易であり、かつ、リブを有する第１の係合凸部と溝を有する第１の係合凹部とが嵌合するため、回転が無駄なく伝達され回転力の向上が図れるとともに、回転の同期が取れ空回りを防止し、さらに、巻回リールの取り外し時は、装着位置から離反する方向に引っ張ると、第１および第２の係合凸部の斜面に沿って第１および第２の係合凹部が滑るとともに、付勢手段が後退するため、取り外しが容易であるという効果がある。
【００１５】
また、回転コアの両端部に、第１および第２の係合凸部の斜面と当接する案内フランジ部を形成するようにすれば、案内フランジ部が形成される回転コアが斜面に沿って滑りやすくなる。
【図面の簡単な説明】
【００１６】
【図１】本発明に係る巻回リールの概略斜視図である。
【図２】同、図１中、矢示ＩＩ方向より見た側面図である。
【図３】同、図１中、矢示ＩＩＩ方向より見た概略斜視図である。
【図４】同、巻回リールをプリンタに装着した状態を示す支持機構の概略正面図である。
【図５】同、巻回リールと嵌合する第１の係合凸部を示す概略拡大斜視図である。
【図６】同、支持機構に巻回リールを装着する手順を示す図４相当の概略正面図である。
【図７】他の実施の形態に係る巻回リールの支持機構であって、巻回リールと嵌合する第１の係合凸部のガイド部材近辺を示す概略斜視図である。
【図８】従来の巻回リール（紙管）が装着されたプリンタの概略側面図である。
【発明を実施するための形態】
【００１７】
（第１実施形態）
以下、本発明の一実施の形態につき、図１ないし図６に基づいて説明する。
なお、以下において、従来と同様の部分は、同一符号を付すに止め、詳説を省略する。
【００１８】
主に、図１ないし図３に示すように、巻回リール１は、記録媒体５６やインクリボン６０が巻回される回転コア２と、この回転コア２の一端部（図１における左側端部）に設けられたフランジ３と、より構成される。
なお、本実施の形態では、記録媒体５６やインクリボン６０を総称して適宜、帯状体Ｒと称する。
【００１９】
回転コア２には、一端部に第１の係合凹部４が形成されるとともに、他端部に第２の係合凹部５が形成されている。
第１の係合凹部４は、主に、図１および図２に示すように、回転コア２の一端部より突出して円筒状の第１の案内フランジ部６が形成されており、かつ、この第１の案内フランジ部６の円筒状の中心部分は、複数の傾斜した溝４ａを有してすり鉢状に形成されている。
また、第２の係合凹部５は、主に、図３に示すように、回転コア２の他端部より突出して円筒状の第２の案内フランジ部６が形成されており、この第２の案内フランジ部６の円筒状の中心部分は、円筒形の穴状に形成されている。
【００２０】
フランジ３は、前記回転コア２に巻回される帯状体Ｒの側面を支持するためのものであり、プラスチック等の合成樹脂により形成されている。
【００２１】
上記巻回リール１は、前記回転コア２に所定量の帯状体Ｒを巻き付けて「供給リール」として用いるか、あるいは、「供給リール」より繰り出された帯状体Ｒを回転コア２に巻き取る「巻取リール」として使用する。
【００２２】
図４は、上述した巻回リール１に帯状体Ｒ（同図において、想像線で示してある）を予め巻き付け「供給リール」として用いるとともに、プリンタ５１に装着した状態を例示した支持機構の概略正面図である。
なお、説明の都合上、後述する第１および第２の支持部材１２、１３や巻回リール１の一部を破断して内部が見えるようにしてある。
巻回リール１の支持機構１１は、第１の支持部材１２と、この第１の支持部材１２より所望距離はなれた、帯状体Ｒの幅方向（矢示Ｗ方向）において対峙する第２の支持部材１３とを備えている。
【００２３】
第１の支持部材１２には、「回動駆動源」としての図示省略のモータにて回動する回転軸１４が挿通されるとともに、この回転軸１４の先端部に第１の係合凸部１５が回動自在に設けられている。
第１の係合凸部１５は、第２の支持部材１３側に突出して設けられ、主に、図５に示すように、円錐台状に形成されるとともに、円錐台状の斜面に複数のリブ１５ａが形成されている。このリブ１５ａは、前記第１の係合凹部４の溝４ａと数および間隔がほぼ同じであり、円錐台状の第１の係合凸部１５と前記回転コア２のすり鉢状の第１の係合凹部４が係合した際、リブ１５ａと溝４ａとが嵌合するようになっている（詳細は、後述する）。
【００２４】
第２の支持部材１３には、円錐台状の第２の係合凸部１６が前記第１の係合凸部１５と対峙する位置に設けられるとともに、底辺部（図４における右端部）に前記第２の係合凸部１６を第１の支持部材１２側へ付勢する「付勢手段」としてのバネ１７が設けられている。
そして、前記第１の係合凸部１５と第２の係合凸部１６の間に巻回リール１が挿入されたとき、前記回転コア２の第１の係合凹部４と第１の係合凸部１５が、また、回転コア２の第２の係合凹部５と第２の係合凸部１６が、各々係合するとともに、前記バネ１７の付勢力により巻回リール１が、第１および第２の支持部材１２、１３間に位置決め・装着されるようになっている（詳細は、後述する）。
【００２５】
次に、主に、図６に基づき、支持機構１１に巻回リール１を装着する手順を説明する。
支持装置１１に巻回リール１が未装着の状態においては、第２の支持部材１２に設けられている第２の係合凸部１６は、「付勢手段」としてのバネ１７の付勢力（矢示Ｆの付勢方向）によって第１の支持部材１３側に突出して待機している。
操作者（図示省略）は、帯状体Ｒや回転コア２などを手で持って第１および第２の支持部材１２、１３の間に巻回リール１を運び、第１および第２の係合凸部１５、１６の近傍に回転コア２を位置決めする。
すなわち、第１の係合凸部１５に近接して、回転コア２の一端部に形成された第１の案内フランジ部６を、また、第２の係合凸部１６に近接して、回転コア２の他端部に形成された第２の案内フランジ部７を、各々位置決めする。
そして、第１および第２の係合凸部１５、１６に近接させた巻回リール１の回転コア２を、両端部に形成された第１および第２のフランジ部６、７が当接するように、さらに、接近させて押し入れる。
このとき、第１の案内フランジ部６は、円錐台状に形成された第１の係合凸部１５の斜面に形成されたリブ１５ａに沿って、また、第２の案内フランジ部７は、円錐台状に形成された第２の係合凸部１６の斜面に沿って、各々押し入れられるとともに、バネ１７により巻回リール１側（矢示Ｆ方向）に付勢されている第２の係合凸部１６が付勢力に抗して後退（矢示Ｂ方向）するため、第１および第２の係合凸部１５、１６の間が広がる（第２の係合凸部１６の後退位置は、想像線にて図示）。
そのまま巻回リール１の押し入れを継続すると、第１および第２の案内フランジ部６、７が第１および第２の係合凸部１５、１６を乗り越え、回転コア２の第１の係合凹部４に対し第１の係合凸部１５が係合し、また、第２の係合凹部５に対し第２の係合凸部１６が係合するとともに、対峙して設けられる第１の係合凸部４側に向けバネ１７により第２の係合凸部１６が付勢されるため、第１および第２の支持部材１１、１２間の装着位置、より詳しくは、第１および第２の係合凸部１５、１６間に巻回リール１が装着されるものである。
【００２６】
なお、装着時、第１および第２の係合凸部１５、１６の間に巻回リール１を「押し入れる」と記載したが、図６における上方より回転コア２の第１および第２の案内フランジ部６、７を第１および第２の係合凸部１５、１６に当接・位置決めし、支え持っている巻回リール１の保持力を緩めると、第１および第２の係合凸部１５、１６の斜面に沿って第１および第２の案内フランジ部６、７が下方へ位置を移動することにより、第１および第２の係合凸部１５、１６間が広がるため、大径の帯状体Ｒが巻回された巻回リール１であっても、重さ（自重）を利用した装着が可能である。
【００２７】
また、巻回リール１が装着された際、一端部側は、回転軸１４の先端に設けられた係合凸部１５のリブ１５ａと、回転コア２の第１の係合凹部４の溝４ａとが係合し、リブ１５ａと溝４ａとの凹凸形状により嵌合するため、回転軸１４を回転して帯状体Ｒを繰り出す際、回転軸１４の回転力が同期を取った状態で巻回リール１に効率よく伝わるとともに空回りが防止され、また、他端部側は、第２の係合凸部１６と回転コア２の穴状の第２の係合凹部５とが線接触で係合するので、回転しやすいものである。
【００２８】
また、巻回リール１の取外し時は、帯状体Ｒや回転コア２を手で持ち、装着位置から離反する方向に引っ張ると、第１および第２の係合凸部１５、１６の斜面に沿って第１および第２の係合凹部４、５が滑るとともに、第１の係合凹部４側に付勢していた第２の係合凹部５を徐々に後退させるため、取り外しが容易である。
なお、取り外し時、バネ１７の付勢力に抗して第２の支持部材１３側に巻回リール１を押し付け・移動した上で装着位置から離反する方向に引っ張るようにしてもよい。
【００２９】
上述したように、第１の支持部材１２から帯状体Ｒの幅方向Ｗに突出して設けられた円錐台状の第１の係合凸部１５と、第１の支持部材１２から所望距離はなれて設けられた第２の支持部材１３から突出し、第１の係合凸部１５と対峙して設けられた円錐台状の第２の係合凸部１６と、の間に、巻回リール１を押し入れる際、円錐台状の第１および第２の係合凸部１５、１６の斜面に回転コア２の第１および第２の案内フランジ部６、７が当接し、第１および第２の支持部材１２、１３側の太い径の部分から先端（帯状体Ｒ側）の細い径の部分に向けて形成された斜面を、細い径の方に向かって滑りながら押し入れられるとともに、第２の係合凸部１６がバネ（付勢手段）１７の付勢力に抗して後退するため、第１および第２の係合凸部１５、１６の間が押し広げられる状態になり結果、リブ１５ａを有する第１の係合凸部１５と溝４ａを有する第１の第１の係合凹部４とが嵌合し、かつ、第２の係合凸部１６と第２の係合凹部５とが係合して巻回リール１を支持するため、装着が簡単なものである。
【００３０】
また、巻回リール１が装着された状態において、第１の支持部材１２側は、回転軸１４の先端部に設けた第１の係合凸部１５のリブ１５ａと第２の係合凹部４の溝４ａとが嵌合するため、回転軸１４の回転が同期を取って無駄なく巻回リール１に伝達され回転力のロスが少ない分、回転力の向上が図れるとともに、空回りが防止されるものであり、以って、大径の巻回リール１であっても、帯状体Ｒの繰り出しが円滑となる。
【００３１】
（第２実施形態）
次に、主に、図７に基づき他の実施の形態の支持機構につき、説明する。
なお、以下において、従来および先の実施の形態と同様の部分は同一符号を付すに止め、詳説を省略する。
図７は、リボン巻取り部５５（図８参照）近辺を示す概略斜視図であり、巻回リール１を「巻取リール」として使用する例を示している。
【００３２】
同図に示すように、第１の支持部材１２には、第２の支持部材１３側の側面に突出してガイド部材１８が形成されている。
このガイド部材１８は、同図における左上側に開口１８ａが形成されるとともに、開口１８ａから第１の係合凸部１５に向け両端が先細となるよう傾斜して凸状に形成されるとともに、第１の係合凸部１５を挟み、開口１８ａとは反対側（背面側）の半周を囲むよう、いわば、巾着袋状に形成されており、前記第１および第２の支持部材１２、１３間に前記巻回リール１を押し入れる際、巻回リール１を装着位置に移動・案内するための「ガイド手段」である。
すなわち、第１および第２の支持部材１２、１３の間に巻回リール１を装着する際、開口１８ａに回転コア２の第１の案内フランジ部６を押し当て、奥側（同図における、右下側）に向けて押し込むと、巻回リール１は先細のガイド部材１８に案内されて第１の係合凸部１５へと案内され、一端部の第１の係合凹部４と第１の係合凸部１５が嵌合するとともに、他端部の第２の係合凹部５と第２の係合凸部１６が係合し、位置決め・装着される。
【００３３】
なお、第１の係合凸部１５の半周、すなわち、開口１８ａと対峙する半周もガイド部材１８により囲まれているため、巻回リール１を押し込んだ際それ以上、奥側に押し込まれることがないものである。
また、取り外す際も、巻取り済みの帯状体Ｒや回転コア２を持って、同図における斜め左上側に引き出すと、第１および第２の係合凸部１５、１６と、第１および第２の係合凹部４、５との係合が外れるとともに、ガイド部材１８に沿って巻回リール１が容易に取り外せる。
【００３４】
上述したように、ガイド部材１８を設けると、開口１８ａに巻回リール１の第１のガイド部材６を押し当てて押し込むだけで第１の係合凸部１５へと案内されるため、支え持つのが大変な大径で重たい帯状体Ｒであっても、円滑に着脱が可能である。
その他の構成、作用、効果については、先の実施の形態とほぼ同様につき詳説を省略する。
【００３５】
なお、上記実施の形態の構成及び動作は例であって、本発明の趣旨を逸脱しない範囲で適宜変更することができることは言うまでもない。
【符号の説明】
【００３６】
Ｒ    帯状体
Ｗ    幅方向
Ｆ    付勢方向
Ｂ    後退方向
１    巻回リール
２    回転コア
３    フランジ
４    第１の係合凹部
４ａ  溝
５    第２の係合凹部
６    第１の案内フランジ部
７    第２の案内フランジ部
１１  支持機構
１２  第１の支持部材
１３  第２の支持部材
１４  回転軸
１５  第１の係合凸部
１５ａ  リブ
１６  第２の係合凸部
１７  バネ（付勢手段）
１８  ガイド部材
１８ａ  開口
５１  熱転写プリンタ（プリンタ）
５２  記録媒体供給部
５３  印字部
５４  リボン供給部
５５  リボン巻取り部
５６  記録媒体
５７  供給軸
５８  プラテンローラ
５９  サーマルヘッド
６０  記録フィルム（インクリボン）
６１、６２、６３  ガイドローラ
６４  発行口
【図１】
2014210388.tif 000003
【図２】
2014210388.tif 000004
【図３】
2014210388.tif 000005
【図４】
2014210388.tif 000006
【図５】
2014210388.tif 000007
【図６】
2014210388.tif 000008
【図７】
2014210388.tif 000009
【図８】
2014210388.tif 000010